(57)【要約】      （修正有）【課題】利便性に富んだスピッツ用の蓋体を提供する。【解決手段】任意のシート状素材による上面シート体１を設け、該シート体１に、その上面開口部３を一致させつつシート体１下方に突出する傾斜外側面を有する中空の凹部２を連設し、この凹部２は下方に向かうにつれて小径となるものとしたことを特徴とする。【選択図】図３
2013181974.tif 000002
【特許請求の範囲】
【請求項１】
任意のシート状素材による上面シート体を設け、該シート体に、その上面開口部を一致させつつシート体下方に突出する傾斜外側面を有する中空の凹部を連設し、この凹部は下方に向かうにつれて小径となるものとしたことを特徴とする検体保管容器用蓋体。
【請求項２】
各凹部間に位置する上面シート体位置に、切り取り線部を設けてなる請求項１記載の検体保管容器用蓋体。
【発明の詳細な説明】
【技術分野】
【０００１】  この発明は、検体検査（人体から得られた被検査物について、成分分析や微生物の有無等の検査を行うこと）時に用いる蓋体に関する。
【背景技術】
【０００２】  従来より、検体検査容器の入り口開口部分を塞ぐために種々の手段が利用されているが、本発明にて示すように、連続凹凸を有するシート体形式のものは見あたらない。
【発明の概要】
【発明が解決しようとする課題】
【０００３】  従来より、検体保管容器としては、試験管や採血管など（以下、スピッツと称する）が多用されている。多くの場合、検査終了後の検体はスピッツなどに分注後、各スピッツに円筒形の蓋をして試験管立て（以下、ラックと称する）等に立てて冷蔵保管している。
他にはラック全体を覆うようにビニール袋に入れたり、アルミ箔やフィルム製のカバーにてスピッツ上部を覆う、また、ラックごと入るケースに収納して冷蔵保管している。
この中で、円筒形蓋を用いる手段は一つ一つが小さくて持ちにくいとともに、気密性向上のために比較的硬い材料にて形成されており、感染防御のためのグローブ着用時に作業が困難である。また、蓋自体の保管においても、一度開封した袋にそのまま保管するか、あるいはやや小さい箱に小分けするなどして必要の度に取り出して用いるので、その残数把握や衛生面に問題がある。さらに、使用のときにこの円筒形蓋を落としがちである。
後者のスピッツ全体をカバーにて覆う手段は、その形状から気密性に乏しく、検体を取り出すときはカバー全体を取り去らねばならず、一度使用したカバーは破れやすく再使用に難がある。既述の他の手段は特定の用具が必要であったり、気密的に好ましくないなどの問題を有している。
本発明は以上に鑑み、安価で使用しやすく、各検体容器ごとの使用も可能であって気密的にも優れた種々の利点を有する、新規かつ有用なる検体容器用の蓋体を提供するべく発明されたものである。
【課題を解決するための手段】
【０００４】  課題を解決する手段として本発明は以下の構成とした。
すなわち、任意のシート状素材による上面シート体を設け、該シート体に、その上面開口部を一致させつつシート体下方に突出する傾斜外側面を有する中空の凹部を連設し、この凹部は下方に向かうにつれて小径となるものとする。
本発明は以上の構成よりなる検体保管容器用蓋体である。なお、請求項２で示すように切り取り線部を付加することにてさらなる利便性向上が得られる。
【発明の効果】
【０００５】  本発明は、以下の効果を有する。
１．蓋体による凹部を容器内に挿入して使用し、この凹部は下方に向かうにつれて小径と  なる傾斜側面を有しているので、容器に押圧密着して異物の侵入を確実に阻止すること  ができる。
２．凹部を連設する方式のため、一度に複数個の検体に対する処理ができる。
３．切り取り線部を設けることにて、必要分だけ切り取って使用することができる。
４．薄シート状合成樹脂にての製作のため、安価に提供することができる。
【図面の簡単な説明】
【０００６】
【図１】  本発明の平面図
【図２】  本発明の正面図
【図３】  本発明の使用説明図
【図４】  従来のスピッツの一例を示す平面図
【図５】  従来のスピッツの一例を示す正面図
【図６】  本発明の他例説明図
【図７】  本発明の凹部の傾斜外側面角度説明図
【図８】  本発明の切り取り線部の説明図（引き出し線を用いて説明した）
【図９】  本発明の他例説明図
【図１０】  本発明の他例説明図
【発明を実施するための最良の形態】
【０００７】  以下、本発明の実施形態について説明する。
図において１は長方形状薄合成樹脂シートによる上面シート体、２は該シート体に等間隔にて連設される凹部である。この凹部は上面シート体より下方に突出する逆円錐台形中空体であって、シート面に位置する開口部３の内径に対し、該凹部の底部４の内径は小である。従って、上面シート体に直交する方向に対し凹部の外側面は所定の傾斜角度を有している。各凹部間は所定の距離を有しており、その接近位置中間に平面視において上面シート体と直交する方向に切り取り線部５が設けられる。
この切り取り線部には、図８にて示すように、非切断部と切断部が交互に設けられる。
すなわち、上面シート体長辺に対し直角方向にまず短い切断部としての端部切断部６が対称形に設けられ、次に短い非切断部７が同一線上に対称形に位置し、そして長めの中央切断部８が位置している。従って、隣り合う凹部間を指で簡単に切り離すことができる。
本例では、図１のごとく、凹部を１０個連設するものとした。【０００８】  次に、本発明の使用について説明する。
採血の場合を例に説明すると、検体保管容器の一例として、図４〜図５に示すような採血管が使用される。これは上部開放の有底中空円筒体であり、その上端に外に向かう折り返し部分が形成され、また上端より所定距離下がった内面に緩やかな小段部が形成されている透明合成樹脂体である。この管内に採血した血液検体が注入保管される。
この管の上部は開放されているので、不要物が侵入しないように蓋をしなければならない。そこで、既述の手段があるのであるが、より有用な手段として本発明を提示するものである。
採血管は通常複数本をラック（試験管立て）に立てて収容しており、この管に蓋をして密閉する部分が本発明凹部であり、例えば図３にて示すように、凹部を管口に押し当てると、この凹部は傾斜側面を有するので図のように凹部外側面が採血管の入り口近傍内面に押圧密着して、不要物の管内への侵入を防ぐことができる。この凹部は薄合成樹脂シートの加工にて形成されており、管への押圧力は小でよい。本例では１０個連設にて凹部が形成されているので、一度に１０個の採血管に対処することができる。【０００９】  本発明の特徴の一つは凹部側面の傾斜角である。この角度が小さすぎると、適合管内径範囲が小さくなり、特定の内径にしか対応できず、また管内に対する押圧度が高くなって外しにくくなる。逆に角度が大きすぎると、管に対して十分な密着押圧が得られず、外れやすくなる。実験の結果、この角度範囲θは１０度から１４度の間が望ましく、また上面シート体および凹部の肉厚は、０．０５〜０．１２ミリメートルが管にフィットしやすく望ましいことが認知された。一度に使用する個々の採血管に対応するために、本例では既述のごとく切り取り線部を設けて、個別に切り離して使用できるよう配慮している。
図６〜図１０は、本発明の他例を示すもので、既例の図３では凹部底部に丸みを持たせているが、図６は鈍角に形成した例であって、前例と機能は同様である。
図９は凹部の底部およびその近傍を二段に折曲形成したもので、凹部の強化を目指したものである。図１０では、凹部を湾曲形成して、底部中央をやや上方に向けて湾曲凸状に形成したもので、さらなる凹部強化を図るものとしている。【００１０】  以上、本発明について記したが、本発明は凹部を連設したシート体を用いてスピッツ開口部分を密閉し、その着脱も容易なところにその特徴を有するものである。
従来はこのような物品がなく、既述のような種々の問題点があったが、本発明にてこれが解消できるものとなったのである。本発明はシート状であるため持ちやすく、気密性もあるので検体保存に適し、検体の取り出しも容易である。また、落下しても転がることがなく、衛生的かつ迅速な作業が可能である。また、切り取り線部にて１個ごとにあるいは数個ごとに分離して使うことができて、保管後のスピッツを必要数だけ取り出すことができる。シート体は重ねてケースなどに収納できて、衛生的であるとともに在庫管理も容易に行うことができる。
なお、発明品における凹部相互の間隔は、使用するラックサイズに合わせて設計され、凹部サイズは使用するスピッツサイズに適合するよう設計されるが、検体との距離を適度に保てるように、凹部底部がスピッツ開口位置より１０ミリメートル以下とすることが肝要である。また、既例では切り取り線部を、切断部と非切断部を用いて構成したが、同長の切断部と非切断部を交互に設けたいわゆるミシン目としてもよい。
なお、以上の例は実施の基本パターンを示したもので、近似の他の構成としてもよい。
以上のごとく、本発明にて種々の利便性を有する有用なる検体保管容器用の物品を得ることができる。
【符号の説明】
【００１１】  １  上面シート体
２  凹部
３  開口部
４  底部
５  切り取り線部
６  端部切断部
７  非切断部
８  中央切断部
１０スピッツ
【図１】
2013181974.tif 000003
【図２】
2013181974.tif 000004
【図３】
2013181974.tif 000005
【図４】
2013181974.tif 000006
【図５】
2013181974.tif 000007
【図６】
2013181974.tif 000008
【図７】
2013181974.tif 000009
【図８】
2013181974.tif 000010
【図９】
2013181974.tif 000011
【図１０】
2013181974.tif 000012